(57)【要約】【目的】  ベルトクリップ本来の機能に加え、安全に外部のフック部材にも係着できるようにして、ベルトに設けられているカラビナ（茄子環やＤフックなど）にも巻尺をコンパクトに掛けることができる巻尺用ベルトクリップを提供できるようにすることにある。【解決手段】  ベルトクリップを、本来のクリップ形態にしておくときは、アーム部７０３ｂ上の移動体７０３ａをほぼ基部に位置させて移動体７０３ａの凸部７０３ｃをベース体７０２における係合体７０５の凹部７０５ａ内に挿入して係合させ、外部のフック部材に係着できる係着具形態にする場合は、移動体７０３ａをアーム部７０３ｂ上の先端７０４方向に移動してベース体７０２における係合体７０５の凹部７０５ａ内より凸部７０３ｃを出して係合を解除することによりアーム部７０３ｂすなわち可動クリップ体７０３を係着具形態に変化できるようにした。【選択図】  図１０
2013167533.tif 000002
【特許請求の範囲】
【請求項１】
巻尺のケース乃至同ケースに装着したカバーに取り付けられ、該ケースを作業者のベルトに係着する際に用いられる巻尺用ベルトクリップにおいて、
該ベルトクリップが、
前記ケース乃至前記カバーに固定されるベース体と、
該ベース体が固定されたとき、ベース体に支持され少なくとも被固定体との間に前記ベルトが入る空間を形成するクリップ形態、また、外部のフック部材に係着する係着具形態に変化できる可動クリップ体と、
からなり、該可動クリップ体は、少なくとも初期位置のクリップ形態にしているときにはベルトクリップに有するクリップ形態維持手段により同クリップ形態に維持され、且つ、クリップ形態維持手段による維持を解除することによって係着具形態に変化させることができるように構成してなることを特徴とする巻尺用ベルトクリップ。
【請求項２】
前記可動クリップ体が、ベース体に支持される被支持部を中心に被固定体面の垂直方向に回動でき、また、該可動クリップ体を少なくともクリップ形態にしているときは、自己に有する弾性によってベース体に係合するように構成してなることを特徴とする請求項１に記載の巻尺用ベルトクリップ。
【請求項３】
前記可動クリップ体が、ベース体に支持される被支持部を中心に被固定体面の垂直方向に回動でき、また、該可動クリップ体には基部と先端の間を移動可能な操作体が設けられ、該操作体を基部寄りに位置させると、可動クリップ体の一部がベース体と係合して同可動クリップ体がロックされ、また、操作体を先端寄りに位置させると、可動クリップ体とベース体との係合が解除されるように構成してなることを特徴とする請求項１に記載の巻尺用ベルトクリップ。
【請求項４】
前記可動クリップ体が、ベース体に支持される被支持部を中心に被固定体面の垂直方向に回動でき、また、少なくともクリップ形態から係着具形態に変化させるときは、同変化方向に一定以上の力を加えて動かさなければならないように構成してなることを特徴とする請求項１に記載の巻尺用ベルトクリップ。
【請求項５】
前記可動クリップ体が、ベース体に支持される被支持部を中心に被固定体面の垂直方向に回動でき、また、ベース体に設けた可動係合体を操作することにより、該可動クリップ体を少なくともクリップ形態にロックできるように構成してなることを特徴とする請求項１に記載の巻尺用ベルトクリップ。
【請求項６】
前記可動クリップ体が、ベース体に、被固定体の上下方向にスライド移動可能に支持され、該可動クリップ体を被固定体の下方向にスライド移動して本体の大半をベース体の支持部よりも下方に移動させたときクリップ形態になり、また、可動クリップ体を被固定体の上方向にスライド移動して本体の大半をベース体の支持部よりも上方に移動させたとき係着具形態になるように構成してなることを特徴とする請求項１に記載の巻尺用ベルトクリップ。
【請求項７】
前記可動クリップ体が、ベース体に、被固定体面と略並行に一方向乃至両方向に回転移動可能に支持され、該可動クリップ体の先端を被固定体の下方に向けたときにクリップ形態になり、また、同先端を被固定体の上方に向けたときに係着具形態になるように構成してなることを特徴とする請求項１に記載の巻尺用ベルトクリップ。
【請求項８】
前記可動クリップ体が、ベース体に支持される被支持部を中心に被固定体面の垂直方向に回動でき、また、該可動クリップ体には基部と先端の間を移動可能な移動体が設けられ、該移動体を基部寄りに位置させると、移動体がベース体と係合して同可動クリップ体がロックされ、また、移動体を先端方向に移動させると、該移動体とベース体との係合を解除できて可動クリップ体を係着具形態に変化させることができるように構成してなることを特徴とする請求項１に記載の巻尺用ベルトクリップ。
【請求項９】
前記可動クリップ体を係着具形態に変化させた後、同可動クリップ体の先端方向に移動している移動体を基部寄りに移動すると、移動体がベース体と係合して同可動クリップ体がロックされ、また、移動体を先端方向に移動させると、該移動体とベース体との係合を解除できて可動クリップ体をクリップ形態に変化させることができるように構成してなることを特徴とする請求項８に記載の巻尺用ベルトクリップ。
【請求項１０】
前記移動体とベース体の係合体との係合が、いずれか一方に形成した凸部が他方に形成した凹部内もしくは通孔内に挿入されることによりなされることを特徴とする請求項８または請求項９に記載の巻尺用ベルトクリップ。
【請求項１１】
前記挿入を、所定の外力を加えて行うように構成してなることを特徴とする請求項１０に記載の巻尺用ベルトクリップ。
【請求項１２】
巻尺のケース乃至同ケースに装着したカバーに取り付けられ、該ケースを作業者のベルトに係着する際に用いられる巻尺用ベルトクリップにおいて、前記ケース乃至前記カバーに固定されるベース体と、該ベース体が固定されたとき、該ベース体に接続され少なくとも被固定体との間に前記ベルトが入る空間を形成するベルト用クリップ体と、ベース体乃至ベルト用クリップ体に支持され外部のフック部材に係着するフック用クリップ体を備えてなることを特徴とする巻尺用ベルトクリップ。
【請求項１３】
前記フック用クリップ体が、ベース体乃至ベルト用クリップ体に支持される被支持部を中心にベルト用クリップ体の垂直方向に回動でき、使用の際は、畳まれている未使用時の位置からベルト用クリップ体の略上方に引き起こして用いるように構成してなることを特徴とする請求項１２に記載の巻尺用ベルトクリップ。
【請求項１４】
前記請求項１乃至請求項１３に記載する巻尺用ベルトクリップを備え、巻尺のケースに着脱可能に構成されてなることを特徴とする巻尺用カバー。
【発明の詳細な説明】
【技術分野】
【０００１】
本発明は、巻尺のケースを作業者のベルトに係着する際に用いられる巻尺用ベルトクリップに関し、より詳しくは、外部のフックにも対応可能なベルトクリップに関する。
【背景技術】
【０００２】
従来、巻尺用ベルトクリップは、図１９中の（ａ）図に示すように、巻尺のケースに取り付けられ、ヘアピン状に形成したプレート体１０の同プレート間に作業者が装着するベルト１１を挿嵌できるようになっていて、例えば、測定作業中に巻尺を一時保持する時や移動のため携帯する際には、該プレート体１０をベルト１１に係着することによって同巻尺を作業者が装着するベルト１１に保持させることができる（例えば、特許文献１参照）。
【０００３】
また、該巻尺用ベルトクリップは、図１９中の（ｂ）図に示すように、滑り防止や落下衝撃の緩和やデザイン性の向上などを目的に、巻尺のケース１２に固定的や着脱可能に構成されたカバー１３上にも取り付けられる場合もある。
図１９中の（ｂ）図は、巻尺のケース１２に固定的に設けたカバー１３を示している。
【０００４】
そして、最近では巻尺以外にもベルトに係着できるように構成された工具が格段に増えていることから、ベルトもこれに対応すべく多くの工具を携帯できるようベルトにカラビナ（茄子環やＤフックなど）などの吊り下げ具を多数並設するタイプに変わってきており、このため、巻尺をベルトクリップによってベルトの係脱し易い位置に係着することができなくなった。
【０００５】
したがって、巻尺をベルトに保持させる場合は、止むを得ず巻尺に有する手首に掛けて用いる手下げ用ストラップ（例えば、特許文献２参照）を同ベルトのカラビナ（茄子環やＤフックなど）に掛けて保持する場合があった。
【０００６】
上記のように、手下げ用ストラップをカラビナ（茄子環やＤフックなど）に掛けて巻尺を保持した場合は、巻尺が作業者の太もも付近まで垂れ下がってしまうため、歩行の際や腰を落とした低い姿勢で行う作業の際に同巻尺が非常に邪魔になっていて、これにより、作業に集中できない恐れや、２次災害が生じる恐れがあるといった問題が生じていた。
【先行技術文献】
【特許文献】
【０００７】
【特許文献１】登録実用新案第３１３８２８６号公報（第１〜５頁、図１〜３）
【特許文献２】特開２００１−１７４２０１号公報（第１〜４頁、図５）
【発明の概要】
【発明が解決しようとする課題】
【０００８】
本発明の目的とするところは、ベルトクリップ本来の機能に加え、安全に外部のフック部材にも係着できるようにして、ベルトに設けられているカラビナ（茄子環やＤフックなど）にも巻尺をコンパクトに掛けることができる巻尺用ベルトクリップを提供できるようにすることにある。
また、該ベルトクリップを備え、ケースに着脱自在に構成された巻尺用カバーを提供できるようにすることにある。
【課題を解決するための手段】
【０００９】
上述した課題を解決するために、本発明に係る巻尺用ベルトクリップは、巻尺のケース乃至同ケースに装着したカバーに取り付けられ、該ケースを作業者のベルトに係着する際に用いられる巻尺用ベルトクリップにおいて、該ベルトクリップが、前記ケース乃至前記カバーに固定されるベース体と、該ベース体が固定されたとき、ベース体に支持され少なくとも被固定体との間に前記ベルトが入る空間を形成するクリップ形態、また、外部のフック部材に係着する係着具形態に変化できる可動クリップ体とからなり、該可動クリップ体は、少なくとも初期位置のクリップ形態にしているときにはベルトクリップに有するクリップ形態維持手段により同クリップ形態に維持され、且つ、クリップ形態維持手段による維持を解除することによって係着具形態に変化させることができるように構成してなることを特徴とするものである。
また、被固定体とは、巻尺のケース乃至同ケースに装着したカバーである。
【００１０】
本発明の巻尺用ベルトクリップの第１態様は、前記可動クリップ体が、ベース体に支持される被支持部たる例えば回転軸を中心に被固定体面の垂直方向に回動でき、また、該可動クリップ体を少なくともクリップ形態にしているときは、自己に有する弾性によってベース体に係合するように構成したことを特徴とするものである。
【００１１】
また、前記可動クリップ体のベース体への係合は、自己の弾性により、自動でベース体の係合部内の適正位置に治まるようにするのが好ましい。
【００１２】
また、前記可動クリップ体が係着具形態に変化した後、自己の弾性を利用して係着具形態を維持できるようにしてもよい。
【００１３】
また、前記ベース体と可動クリップ体のうち少なくとも可動クリップ体に弾性を持たせて、この弾性により可動クリップ体の先端と被固定体面との間が外力によって離間可能にし、且つ、弾性復元力によって初期位置に復帰できるように構成するのがよい。
【００１４】
また、前記可動クリップ体は、平面視において略Ｕ字状やリング状に形成した線状体のものが適するが、他形状のものであってもよい。
【００１５】
本発明の巻尺用ベルトクリップの第２態様は、前記可動クリップ体が、ベース体に支持される被支持部たる例えば回転軸を中心に被固定体面の垂直方向に回動でき、また、該可動クリップ体には基部と先端の間を移動可能な操作体が設けられ、該操作体を基部寄りに位置させると、可動クリップ体の一部がベース体と係合して同可動クリップ体がロックされ、また、操作体を先端寄りに位置させると、可動クリップ体とベース体との係合が解除されるように構成したことを特徴とするものである。
【００１６】
また、前記ロックは、可動クリップ体の一部をベース体の係合部内に入れてベース体とロックさせ、また、操作体を先端寄りに位置させることでベース体の係合部内に入っている可動クリップ体の一部を出してベース体とのロックを解除できるようにするのが適する。
【００１７】
また、前記可動クリップ体における所定の部位に弾性を持たせ、この弾性により、可動クリップ体とベース体とのロック状態を操作体によって解除すると、弾性復元力によりベース体の係合部内に入っている可動クリップ体の一部が自動で出るようにしてもよい。
【００１８】
また、前記ベース体と可動クリップ体のうち少なくとも可動クリップ体に弾性を持たせて、この弾性により可動クリップ体の先端と被固定体面との間が外力によって離間可能にし、且つ、弾性復元力によって初期位置に復帰できるように構成するのがよい。
【００１９】
また、前記可動クリップ体は、平面視において略Ｕ字状やリング状に形成した線状体のものが適するが、他形状のものであってもよい。
【００２０】
本発明の巻尺用ベルトクリップの第３態様は、前記可動クリップ体が、ベース体に支持される被支持部たる例えば回転軸を中心に被固定体面の垂直方向に回動でき、また、少なくともクリップ形態から係着具形態に変化させるときは、同変化方向に一定以上の力を加えて動かさなければならないように構成したことを特徴とするものである。
【００２１】
具体的には、可動クリップ体がクリップ形態になっているとき、一端がベース体に接続された板ばねの遊端寄りを該可動クリップ体の一部に略接触させておき、該可動クリップ体を係着具形態に変化させるときは、該板ばねの弾発復元力よりも大なる力で動かさなければクリップ形態が解除できないようにすればよい。
【００２２】
また、可動クリップ体を係着具形態に変化させたとき、上記板ばねによって係着具形態が維持され、そして、クリップ形態に変化させるときは、該板ばねの弾発復元力よりも大なる力で動かさなければクリップ形態が解除できないようにしてもよい。
【００２３】
また、板ばねと可動クリップ体との接触は、平面接触にすることによって可動クリップ体の保持をしっかりとできる。
【００２４】
また、前記ベース体と可動クリップ体のうち少なくとも可動クリップ体に弾性を持たせて、この弾性により可動クリップ体の先端と被固定体面との間が外力によって離間可能にし、且つ、弾性復元力によって初期位置に復帰できるように構成するのがよい。
【００２５】
また、前記可動クリップ体は、平面視において略Ｕ字状やリング状に形成した線状体のものが適するが、他形状のものであってもよい。
【００２６】
本発明の巻尺用ベルトクリップの第４態様は、前記可動クリップ体が、ベース体に支持される被支持部たる例えば回転軸を中心に被固定体面の垂直方向に回動でき、また、ベース体に設けた可動係合体を操作することにより、該可動クリップ体を少なくともクリップ形態にロックできるように構成したことを特徴とするものである。
【００２７】
また、前記可動係合体は、ケース面に対しほぼ平行に回動可能に、また、ほぼ平行に直線移動可能に設けるのがよい。
【００２８】
また、前記ベース体と可動クリップ体のうち少なくとも可動クリップ体に弾性を持たせて、この弾性により可動クリップ体の先端と被固定体面との間が外力によって離間可能にし、且つ、弾性復元力によって初期位置に復帰できるように構成するのがよい。
【００２９】
また、前記可動クリップ体は、平面視において略Ｕ字状やリング状に形成した線状体のものが適するが、他形状のものであってもよい。
【００３０】
本発明の巻尺用ベルトクリップの第５態様は、前記可動クリップ体が、ベース体に、被固定体の上下方向にスライド移動可能に支持され、該可動クリップ体を被固定体の下方向にスライド移動して本体の大半をベース体の支持部よりも下方に移動させたときクリップ形態になり、また、可動クリップ体を被固定体の上方向にスライド移動して本体の大半をベース体の支持部よりも上方に移動させたとき係着具形態になるように構成したことを特徴とするものである。
【００３１】
前記被固定体の上下方向とは、巻尺のケース内に収容される測定テープの引き出し方向と略直交する方向であって、該測定テープの出入り口が設けられている部位がケースの下方となり、そして被固定体の下方となる。
【００３２】
また、上記可動クリップ体の係着具形態とは、ベース体の支持部よりも上方に移動した可動クリップ体の一部が、被固定体よりも突出して同突出する部位が外部のフック部材に係着可能になった状態である。
【００３３】
可動クリップ体は、クリップ形態また係着具形態にしたとき、少なくともクリップ形態にしたときには同クリップ形態を維持できるようにしておくのが普通であり、例えば、ベルトクリップ（ベース体／可動クリップ体）に自動や手動によるロック機構を設けて、可動クリップ体を被固定体の下方向にスライド移動して本体の大半をベース体の支持部よりも下方に移動、すなわち、ベース体の支持部より突出させてクリップ形態にしたときに前記ロック機構によってロックし、同クリップ形態を維持できるようにする。
【００３４】
また、可動クリップ体を被固定体の下方向にスライド移動して本体の大半をベース体の支持部よりも下方に移動、すなわち、ベース体の支持部より突出させてクリップ形態に変化させるとき、可動クリップ体の一部がベース体の支持部に徐々に食い込んでロックするように構成（例えば、締まり嵌め構造などを利用）する。
すなわち、可動クリップ体の一部がベース体の支持部に食い込むことによって同可動クリップ体のスライド移動が抑制されてロックし、同クリップ形態を維持できるようにする。
【００３５】
そして、可動クリップ体は金属や樹脂などの線状材やプレート材（薄板）から形成し、且つ、可動クリップ体をクリップ形態にしているときは、少なくとも同可動クリップ体と被固定体面との間に、巻尺の携帯者たる作業者のベルトを入れることのできる空間が形成されるようにする。
【００３６】
また、作業者のベルトを、可動クリップ体の先端側より同可動クリップ体とケース面との間に入れ易くするために、素材の性質による弾性によって可動クリップ体の先端と被固定体面との間が外力によって離間できるようにし、且つ、弾性復元力によって初期位置に復帰できるようにするのがよい。
【００３７】
可動クリップ体の形状は特に限定するものではないが、特に線状材を用いて形成する場合は、平面視においてリング状に形成することによってベース体にスライド移動可能に支持し易くできる。
【００３８】
ベース体は、例えば、金属／樹脂／天然ゴム／合成ゴム／シリコーン／エラストマなどから形成し、また、同ベース体を被固定体（巻尺のケース上やケースに固定的に設けられたカバー上やケースに装着された同ケース着脱自在のカバー上）に固定する際は、巻尺における左右の半ケースを固定して巻尺ケースを形成する際に用いる固定用ねじを用いればよい。
【００３９】
そして、可動クリップ体の一部がベース体の支持部に食い込むことによって同可動クリップ体のスライド移動が抑制されてロックし、同クリップ形態を維持できるようにする場合は、少なくともベース体の支持部を、天然ゴム／合成ゴム／シリコーン／エラストマなどから形成するのがよい。
【００４０】
本発明の巻尺用ベルトクリップの第６態様は、前記可動クリップ体が、ベース体に、被固定体面と略並行に一方向乃至両方向に回転移動可能に支持され、該可動クリップ体の先端を被固定体の下方に向けたときにクリップ形態になり、また、同先端を被固定体の上方に向けたときに係着具形態になるように構成したことを特徴とするものである。
【００４１】
上記被固定体の上下方向とは、被固定体たる巻尺のケース内に収容する測定テープの引き出し方向と略直交する方向で、該測定テープの出入り口が設けられている部位がケースの下方となり、そして被固定体の下方となる。
【００４２】
また、可動クリップ体の係着具形態とは、先端を被固定体の上方に向けた可動クリップ体の一部が、被固定体（巻尺のケースや同ケースに装着したカバー）よりも突出して同突出する部位が外部のフック部材に係着可能になった状態である。
【００４３】
そして、可動クリップ体は、少なくとも初期位置のクリップ形態にしているときにはベルトクリップに有するクリップ形態維持手段により同クリップ形態に維持できるようにしておく。
また、該クリップ形態維持手段は、本ベルトクリップを設ける被固定体（巻尺のケースや同ケースに装着したカバー）の形態によりベルトクリップ形状などが変化するため、可動クリップ体のクリップ形態を維持するための維持手段（機構など）は、公知の技術を選定して用いればよいが、その一例を以下に説明する。
【００４４】
例えば、ベース体に設けた凸部に、全体または所定の部位を弾性素材で形成してなる可動クリップ体に設けた凹部を嵌め、該可動クリップ体を係着具形態にするとき、該可動クリップ体の凹部をベース体の凸部から強制的に脱出させ、またクリップ形態に戻した際に可動クリップ体の凹部がベース体の凸部に嵌ることができるような構造にする。すなわち、可動クリップ体の維持を所定の力で強制解除できるようにする。
勿論、ベルトクリップ（ベース体／可動クリップ体）に自動や手動による機械的なロック機構を設けて、可動クリップ体をクリップ形態に維持できるようにしてもよい。
【００４５】
また、可動クリップ体に凸部を、ベース体に凹部を形成して、可動クリップ体の凸部を板ばねなどの外部の段発部材によって弾設し、可動クリップ体を係着具形態にするために回転移動した際、該可動クリップ体の凸部をベース体の凹部から強制的に脱出させ、またクリップ形態に戻した際に可動クリップ体の凸部がベース体の凹部に嵌ることができるようにしてもよい。
【００４６】
また、可動クリップ体を係着具形態にしたとき、該可動クリップ体を係着具形態に維持できるようにしてもよく、該維持方法においても、可動クリップ体を同クリップ形態に維持する上述の方法を用いてもよい。
【００４７】
そして、可動クリップ体は金属や樹脂などの線状材やプレート材（薄板）から形成し、且つ、可動クリップ体をクリップ形態にしているときは、少なくとも同可動クリップ体と被固定体面との間に、巻尺の携帯者たる作業者のベルトを入れることのできる空間が形成されるようにする。
【００４８】
また、作業者のベルトを、可動クリップ体の先端側より同可動クリップ体とカバー面との間に入れ易くするために、素材の性質による弾性によって可動クリップ体の先端と被固定体面との間が外力によって離間できるようにし、且つ、弾性復元力によって初期位置に復帰できるようにするのがよい。
【００４９】
ベース体は、例えば、金属や樹脂などから形成し、また、同ベース体を被固定体（巻尺のケース上やケースに固定的に設けられたカバー上やケースに装着された同ケース着脱自在のカバー上）に固定する際は、巻尺における左右の半ケースを固定して巻尺ケースを形成する際に用いる固定用ねじを用いればよい。
【００５０】
本発明の巻尺用ベルトクリップの第７態様は、前記可動クリップ体が、ベース体に支持される被支持部たる例えば回転軸を中心に被固定体面の垂直方向に回動でき、また、該可動クリップ体には基部と先端の間を移動可能な移動体が設けられ、該移動体を基部寄りに位置させると、移動体がベース体と係合して同可動クリップ体がロックされ、また、移動体を先端方向に移動させると、該移動体とベース体との係合が解除されるように構成したことを特徴とするものである。
【００５１】
また、前記可動クリップ体を係着具形態に変化させた後、同可動クリップ体の先端方向に移動している移動体を基部寄りに移動すると、移動体がベース体と係合して同可動クリップ体がロックされ、また、移動体を先端方向に移動させると、該移動体とベース体との係合が解除されるように構成してもよい。
【００５２】
また、前記移動体とベース体の係合体との係合は、具体的には、いずれか一方に形成した凸部が他方に形成した凹部内もしくは通孔内に挿入されることによりなされるようにすればよい。
また、上記挿入を、所定の外力を加えて行われるようにしてもよい。
【００５３】
そして、ベース体における移動体との係合部を、係合形態に合わせて専用に設けてもよい。
【００５４】
また、前記ベース体と可動クリップ体のうち少なくとも可動クリップ体に弾性を持たせて、この弾性により可動クリップ体の先端と被固定体面との間が外力によって離間可能にし、且つ、弾性復元力によって初期位置に復帰できるように構成するのがよい。
【００５５】
また、前記可動クリップ体は、平面視において略Ｕ字状やリング状に形成した線状体のものが適するが、他形状のものであってもよい。
【００５６】
また、本発明の巻尺用ベルトクリップの第８態様は、巻尺のケース乃至同ケースに装着したカバーに取り付けられ、該ケースを作業者のベルトに係着する際に用いられる巻尺用ベルトクリップにおいて、前記ケース乃至前記カバーに固定されるベース体と、該ベース体が固定されたとき、該ベース体に接続され少なくとも被固定体との間に前記ベルトが入る空間を形成するベルト用クリップ体と、ベース体乃至ベルト用クリップ体に支持され外部のフック部材に係着するフック用クリップ体を備えてなることを特徴とするものである。
【００５７】
また、前記フック用クリップ体が、ベース体乃至ベルト用クリップ体に支持される被支持部たる例えば回転軸を中心にベルト用クリップ体の垂直方向に回動でき、使用の際は、畳まれている未使用時の位置からベルト用クリップ体の略上方に引き起こして用いるようにするのがよい。
【００５８】
また、前記フック用クリップ体を、未使用時において畳まれた位置から不用意に動かないよう同動きを制限したり、使用時の位置から不用意に動かないよう同動きを制限してもよい。
【００５９】
また、前記フック用クリップ体は、平面視において略Ｕ字状やリング状に形成した線状体のものが適するが、他形状のものであってもよい。
【００６０】
また、巻尺のケースに着脱可能に構成された巻尺用カバーに、上述の巻尺用ベルトクリップにおける第１態様乃至第８態様のいずれか１つを設けてもよい。
これにより、作業者のベルトにのみ係着できる従来のベルトクリップを備える巻尺から同ベルトクリップを取り外して該巻尺用カバーを装着すれば、同巻尺を容易にベルトクリップを備えるものにすることができる。
【００６１】
本巻尺用カバーは、少なくとも１箇所に設けられた開口から、巻尺の本体たるケースを同カバー内の空間部に入れられるようになっている。
【００６２】
そして、素材の性質や形状などにより、巻尺のケースに被着しただけで同ケース装着状態を維持できるようになっているものや、カバーを巻尺のケースに被着した後、ケースの組み立てに用いられているねじを利用して該カバーをケースに固定して同ケース装着状態を維持できるようにしているものがある。
【００６３】
巻尺用カバーに用いられる素材の一例を示すと、一般的にはエラストマやゴム（合成／天然）などの弾性素材が多く用いられている。勿論、該素材に限定されるものではない。
【発明の効果】
【００６４】
本発明の巻尺用ベルトクリップによれば、同ベルトクリップの可動クリップ体を、巻尺の携帯者たる作業者のベルトに係着するためのクリップ形態と、ベルトに備えるカラビナ（茄子環やＤフックなど）などの吊り下げ具に掛着するための係着具形態に、必要に応じて簡単に変化させることができる。
【００６５】
これにより、巻尺をカラビナ（茄子環やＤフックなど）などの吊り下げ具を備えるベルトに係着する場合は、クリップ形態にしている可動クリップ体を係着具形態に変化させることによって同可動クリップ体がベルトのカラビナ（茄子環やＤフックなど）などの吊り下げ具に掛けるのに適した形状になり、そして、この係着具形態に変化した可動クリップ体をベルトのカラビナ（茄子環やＤフックなど）などの吊り下げ具に掛けることで巻尺をしっかりと作業者のベルトに保持させることができる。
【００６６】
また、カラビナ（茄子環やＤフックなど）に保持した巻尺は必要以上に垂れ下がらないのでコンパクトに吊り下げておくことができ、これにより、歩行の際や腰を落とした低い姿勢で行う作業の際にも同巻尺が大きく揺動したり床面上を引きずることもまずなく、作業に集中することができる。
【００６７】
そして、本発明の巻尺用ベルトクリップを備える巻尺用カバーによれば、該カバーを装着しようとする巻尺に備える一般的なベルトクリップ（作業者のベルトにのみ係着できるもの）を取り外し、同カバーを巻尺に装着（被せる）することで、今まで作業者のベルトにしか係着できなかったものを、作業者のベルトと共にカラビナ（茄子環やＤフックなど）などの吊り下げ具にも係着することができるようになる。
【００６８】
また、形状や使用形態などによってベルトクリップを備えない巻尺にも本巻尺用カバーを装着することで、該巻尺を、容易にベルトクリップを備える巻尺にすることができる。
【図面の簡単な説明】
【００６９】
【図１】本発明に係る第１態様のベルトクリップを設けた巻尺を示す斜視図。
【図２】本発明に係る第２態様のベルトクリップを設けた巻尺を示す斜視図。
【図３】本発明に係る第３態様のベルトクリップを設けた巻尺を示す斜視図。
【図４】第３態様のベルトクリップの一部拡大断面図。
【図５】本発明に係る第４態様のベルトクリップを設けた巻尺を示す斜視図。
【図６】第４態様のベルトクリップにおける他の形態例を示した斜視図。
【図７】本発明に係る第５態様のベルトクリップを設けた巻尺を示す斜視図。
【図８】本発明に係る第６態様のベルトクリップを設けた巻尺を示す斜視図。
【図９】第６態様のベルトクリップの一部拡大断面図。
【図１０】本発明に係る第７態様のベルトクリップを設けた巻尺を示す斜視図。
【図１１】第７態様のベルトクリップにおける他の形態例を示した斜視図。
【図１２】第７態様のベルトクリップの使用状態を示す図。
【図１３】第７態様のベルトクリップの使用状態を示す図。
【図１４】本発明に係る第８態様のベルトクリップを設けた巻尺を示す斜視図。
【図１５】第８態様のベルトクリップの一部拡大図。
【図１６】第８態様のベルトクリップの使用状態を示す図
【図１７】本発明に係る巻尺用カバーを示す斜視図。
【図１８】本発明に係る巻尺用カバーを示す斜視図。
【図１９】従来のベルトクリップを設けている巻尺を示す斜視図。
【発明を実施するための形態】
【００７０】
以下、本発明に係る巻尺用ベルトクリップを、添付図面に示す具体例に基づいて説明する。
また、第５態様から第８態様（図７から図１６）に示した巻尺のケースは、同ケースにカバー（例えば、滑り止め効果を有する素材からなるもの）を固定的に設けたものである。
【００７１】
本発明の巻尺用ベルトクリップの第１態様は、図１中の（ａ）に示すように、巻尺のケース１０１に固定されるベース体１０２と、ベース体１０２に回動できるように設けた可動クリップ体１０３からなっている。
【００７２】
ベース体１０２は、例えば金属加工品や樹脂成型品等からなっていて、ケース１０１上に同ケース１０１を固定するための雄ねじ１０４によって固定している。
【００７３】
可動クリップ体１０３は、例えば弾性を有する金属や樹脂等の線状体からなっていて、図１中の（ａ）に示した初期位置にあってクリップ形態になっているとき、可動クリップ体１０３のアーム部１０３ａがベース体１０２の係合部たる凹所１０５に係合している。
【００７４】
そして、ベース体１０２の凹所１０５に係合している可動クリップ体１０３のアーム部１０３ａは、可動クリップ体１０３に有する弾性により凹所１０５内の適正位置に維持されるようにしている。
【００７５】
また、可動クリップ体１０３は、回転軸１０７がベース体１０２の軸受１０６に支持されていて、この回転軸１０７を中心にアーム部１０３ａをケース１０１面の垂直方向に回動することにより、図１中の（ｂ）に示すように、可動クリップ体１０３を図１中の（ａ）のクリップ形態の状態からほぼ１８０度回動した係着具形態に変化できるようにしている。
【００７６】
以下、上述のように構成した本発明に係る巻尺のベルトクリップにおける第１態様の作用について説明する。
【００７７】
先ず、図１中の（ａ）に示すように、ベース体１０２の凹所１０５に係合している可動クリップ体１０３のアーム部１０３ａにおける凹所１０５に係合している部位の近傍を、同外方よりアーム部１０３ａの凹所１０５内への弾性復元力に抗して図中の矢印Ａ、Ａ方向に押し込んで、可動クリップ体１０３のアーム部１０３ａとベース体１０２の凹所１０５との係合を解除する。
【００７８】
次いで、ベース体１０２の凹所１０５との係合を解除した可動クリップ体１０３のアーム部１０３ａを図中の矢印Ｂ方向に引き起こし、ほぼ１８０度回動させる。
【００７９】
そうすると、図１中の（ｂ）に示すように、ベルトクリップの可動クリップ体１０３を外部のフック部材への係着に適する係着具形態に変化できる。
【００８０】
本発明の巻尺用ベルトクリップの第２態様は、図２中の（ａ）に示すように、巻尺のケース２０１に固定されるベース体２０２と、ベース体２０２に回動できるように設けた可動クリップ体２０３からなっていて、さらに可動クリップ体２０３には、同可動クリップ体２０３の基部と先端２０８の間をスライド移動できる操作体たるスライダ２０３ｂを設けている。
【００８１】
ベース体２０２は、例えば金属加工品や樹脂成型品等からなっていて、ケース２０１上に同ケース２０１を固定するための雄ねじ２０４によって固定している。
【００８２】
可動クリップ体２０３は、例えば弾性を有する金属や樹脂等の線状体からなっていて、図２中の（ａ）に示した初期位置にあってクリップ形態にしているときは、可動クリップ体２０３のアーム部２０３ａ上における基部寄りでかつベース体２０２の凹所２０５を境に可動クリップ体２０３の先端２０８側に位置するスライダ２０３ｂにより可動クリップ体２０３のアーム部２０３ａを、同可動クリップ体２０３の弾性復元力に抗してベース体２０２の係合部たる凹所２０５内に強制的に押し込んで同アーム部２０３ａを凹所２０５に係合させている。
【００８３】
そして、アーム部２０３ａ上における基部寄りに位置するスライダ２０３ｂを同アーム部２０３ａ上の先端寄りに移動することにより、ベース体２０２の凹所２０５内に強制的に押し込んでいた可動クリップ体２０３のアーム部２０３ａが、同可動クリップ体２０３の弾性復元力によって凹所２０５内より出て同アーム部２０３ａと凹所２０５との係合が解除されるようにしている。
【００８４】
また、可動クリップ体２０３は、回転軸２０７がベース体２０２の軸受２０６に支持されていて、この回転軸２０７を中心にアーム部２０３ａをケース２０１面の垂直方向に回動することにより、図２中の（ｂ）に示すように、可動クリップ体２０３を図２中の（ａ）のクリップ形態の状態からほぼ１８０度回動した係着具形態に変化できるようにしている。
【００８５】
以下、上述のように構成した本発明に係る巻尺のベルトクリップにおける第２態様の作用について説明する。
【００８６】
先ず、図２中の（ａ）に示すように、可動クリップ体２０３におけるアーム部２０３ａの基部寄りに位置するスライダ２０３ｂを、図中の矢印Ａ方向にスライドして同アーム部２０３ａの先端２０８寄りに移動する。
【００８７】
そうすると、可動クリップ体２０３のアーム部２０３ａにおけるベース体２０２の凹所２０５に係合している部位（同アーム部２０３ａの一部位）が、可動クリップ体２０３の弾性復元力によって図中の矢印Ｂ、Ｂ方向に移動してこの凹所２０５内より出て、可動クリップ体２０３のアーム部２０３ａとベース体２０２の凹所２０５との係合が解除される。
【００８８】
次いで、図２中の（ｂ）に示すように、ベース体２０２の凹所２０５との係合を解除した可動クリップ体２０３のアーム部２０３ａを図中の矢印Ｃ方向に引き起こし、ほぼ１８０度回動させる。
【００８９】
そうすると、図２中の（ｂ）に示すように、ベルトクリップの可動クリップ体２０３を外部のフック部材への係着に適する係着具形態に変化できる。
【００９０】
本発明の巻尺用ベルトクリップの第３態様は、図３中の（ａ）に示すように、巻尺のケース３０１に固定されるベース体３０２と、ベース体３０２に対して回動できるように設けた可動クリップ体３０３からなっている。
【００９１】
ベース体３０２は、例えば金属加工品や樹脂成型品などからなっていて、ケース３０１上に同ケース３０１を固定するための雄ねじ３０４によって固定している。
【００９２】
可動クリップ体３０３は、例えば弾性を有する金属や樹脂などの線状体からなっていて、かつベース体３０２の軸受３０５と板ばね３０６によって支持されている。
【００９３】
そして、可動クリップ体３０３が図３中の（ａ）に示した初期位置にあってクリップ形態になっているときは、可動クリップ体３０３の回転軸３０３ｃとなる部位に設けている接触面部３０３ａが（図４中の（ａ）を参照）、ベース体３０２における板ばね３０６の遊端部寄りに設けている接触面部３０６ａに接触している。
【００９４】
また、可動クリップ体３０３が図３中の（ｂ）に示した係着具形態になっているときは、可動クリップ体３０３の回転軸３０３ｃとなる部位に設けている接触面部３０３ｂが（図４中の（ｃ）を参照）、ベース体３０２における板ばね３０６の遊端部寄りに設けている接触面部３０６ａに接触している。
【００９５】
前記可動クリップ体３０３の接触面部３０３ａ、３０３ｂおよび前記ベース体３０２における板ばね３０６の接触面部３０６ａはそれぞれを平面にしてあり、可動クリップ体３０３の接触面部３０３ａまたは接触面３０３ｂとベース体３０２における板ばね３０６の接触面部３０６ａの接触状態を安定して維持できるようにして、可動クリップ体３０３をクリップ形態または係着具形態にしたときにそれぞれの状態を一定レベルまで保持できるようにしている。
【００９６】
そして、可動クリップ体３０３は、ベース体３０２の軸受３０５と板ばね３０６によって支持される前記接触面部３０３ａ、３０３ｂを設けている回転軸３０３ｅ（図４中の（ａ）を参照）を中心にケース３０１面の垂直方向（図３中の（ａ）に示す矢印Ａ方向）に回動することにより、可動クリップ体３０３を図３中の（ａ）のクリップ形態の状態からほぼ１８０度回動した図３中の（ｂ）の係着具形態に変化できるようにしている。
【００９７】
以下、上述のように構成した本発明に係る巻尺のベルトクリップにおける第３態様の作用について説明する。
【００９８】
本発明のベルトクリップは、可動クリップ体３０３を一定以上の力でケース３０１面の垂直方向（図３中の（ａ）に示す矢印Ａ方向）に回動させることで、図３中の（ａ）のクリップ形態から図３中の（ｂ）に示した外部のフック部材に係着できる係着具形態、またこの逆の係着具形態からクリップ形態に変化させることができる。
【００９９】
図４にて上記変化におけるクリップ形態から係着具形態に変化させる場合を説明するが、この図４は、可動クリップ体３０３の接触面部３０３ａ、３０３ｂとベース体３０２における板ばね３０６の接触面部３０６ａにおける接触状態を拡大して示した図である。
【０１００】
先ず、図４中の（ａ）可動クリップ体３０３の接触面部３０３ａとベース体３０２における板ばね３０６の接触面部３０６ａが平面接触していることで初期位置のクリップ形態に保持されている同可動クリップ体３０３を、板ばね３０６の抗力よりも大なる力でケース３０１面の垂直方向（図中の矢印方向）に回動させる（図４中の（ａ））。
【０１０１】
そうすると、可動クリップ体３０３の接触面部３０３ａを設けている回転軸３０３ｃが所定方向に回転して、可動クリップ体３０３の接触面部３０３ａとベース体３０２における板ばね３０６の接触面部３０６ａとの平面接触状態が強制的に解除され、かつこの解除によって板ばね３０６は図中において下方に押し退けられる（図４中の（ｂ））。
【０１０２】
そして、可動クリップ体３０３をクリップ形態の状態からほぼ１８０度回動して係着具形態に変化すると、下方に押し退けられた板ばね３０６が初期位置に復帰し、可動クリップ体３０３の接触面部３０３ｂとベース体３０２における板ばね３０６の接触面部３０６ａが平面接触して可動クリップ体３０３を係着具形態に保持する（図４中の（ｃ））。
【０１０３】
本発明の巻尺用ベルトクリップの第４態様は、図５中の（ａ）に示すように、巻尺のケース４０１に固定されるベース体４０２と、ベース体４０２に対して回動できるように設けた可動クリップ体４０３からなっていて、またベース体４０２には、初期位置のクリップ形態にしている可動クリップ体４０３を同クリップ形態にロックできる可動係合体たるロック用アーム４０４を設けている。
【０１０４】
ベース体４０２は、例えば金属加工品や樹脂成型品等からなっていて、ケース４０１上に同ケース４０１を固定するための雄ねじ４０５によって固定している。
【０１０５】
また、ベース体４０２に設けているロック用アーム４０４は、このロック用アーム４０４に接続する回転軸４０４ａによりこの回転軸４０４ａを中心にケース４０１面とほぼ平行に回動（もしくは回転）できるようにしている。
【０１０６】
前記可動クリップ体４０３は、例えば金属や樹脂等の線状体（弾性を有する場合もある）からなっていて、図５中の（ａ）に示した初期位置にあってクリップ形態にしているときは、可動クリップ体４０３の両方のアーム部４０３ａ上に、ベース体４０２に設けたロック用アーム４０４の一部を進出させてアーム部４０３ａとロック用アーム４０４とが係合状態になるようにしている。
【０１０７】
そして、前記ロック用アーム４０４を所定の方向に回して同ロック用アーム４０４の一部を可動クリップ体４０３の両方のアーム部４０３ａ上より外すことで、アーム部４０３ａとロック用アーム４０４との係合を解除できるようにしている。
【０１０８】
また、可動クリップ体４０３は、回転軸４０７がベース体４０２の軸受４０６に支持されていて、この回転軸４０７を中心にアーム部４０３ａをケース４０１面の垂直方向に回すことにより、図５中の（ｂ）に示すように、可動クリップ体４０３を図５中の（ａ）のクリップ形態の状態からほぼ１８０度回動した係着具形態に変化できるようにしている。
【０１０９】
以下、上述のように構成した本発明に係る巻尺のベルトクリップにおける第４態様の作用について説明する。
【０１１０】
先ず、図５中の（ａ）に示すように、可動クリップ体４０３の両方のアーム部４０３ａ上に進出してこのアーム部４０３ａと係合状態にあるベース体４０２のロック用アーム４０４を、図中の矢印Ａ方向（もしくは反対の方向）に回してアーム部４０３ａと略並行にする。
【０１１１】
そうすると、可動クリップ体４０３の両方のアーム部４０３ａ上に位置しているベース体４０２のロック用アーム４０４の一部がこのアーム部４０３ａ上より外れて、同可動クリップ体４０３のアーム部４０３ａとベース体４０２のロック用アーム４０４との係合が解除される。
【０１１２】
次いで、ベース体４０２のロック用アーム４０４との係合を解除した可動クリップ体４０３のアーム部４０３ａを図中の矢印Ｂ方向に引き起こし、ほぼ１８０度回動させる。
【０１１３】
また、可動クリップ体４０３をクリップ形態にロックするための前記ロック用アーム４０４は、可動クリップ体４０３の片方のアーム部４０３ａに係合できる形態にする場合がある。
【０１１４】
また、初期位置のクリップ形態にしている可動クリップ体４０３を同クリップ形態にロックするための可動係合体を、図６中の（ａ）に示すように、可動クリップ体を係着具形態に変化させることができる初期位置にある可動係合体たるロック用スライダ４０４ｃを、図中の矢印Ｃ方向に移動してロック用スライダ４０４ｃの先端寄りを可動クリップ体４０３の片方のアーム部４０３ａ上に進出させて（図６中の（ａ）状態）アーム部４０３ａとロック用アーム４０４とを係合状態にして、可動クリップ体４０３をクリップ形態にロックできるようにする場合がある。
【０１１５】
そして、可動クリップ体４０３の片方のアーム部４０３ａ上に進出してこのアーム部４０３ａと係合状態にあるベース体４０２のロック用スライダ４０４ｃを、図中の矢印Ｄ方向たる初期位置方向に移動させることで、同アーム部４０３ａ上に位置するロック用スライダ４０４ｃの先端寄りをこのアーム部４０３ａ上より外してアーム部４０３ａとロック用スライダ４０４ｃとの係合を解除するようにし、ベルトクリップの可動クリップ体４０３を、図６中の（ｂ）に示した外部のフック部材への係着に適する係着具形態に変化させるようにする。
【０１１６】
また、ロック用アーム４０４、ロック用スライダ４０４ｃを操作して可動クリップ体４０３のアーム部４０３ａとの係合を解除した後、ロック用アーム４０４、ロック用スライダ４０４ｃを操作前の位置に自動復帰できるようにする場合がある。
【０１１７】
また、図５中に示している符号４０２ａは、可動クリップ体４０３のアーム部４０３ａを支えるための受け部であるが、同受け部４０２ａは、可動クリップ体４０３の形状やアーム部４０３ａの強度などにより必要に応じてベルトクリップに設けている。
【０１１８】
実施例における図中の符号４０４ｂは、ロック用アーム４０４をベース体４０２に取り付けている雄ねじ、符号４０４ｄは、ロック用スライダ４０４ｃをスライド操作するためのノブ、符号４０４ｅは、ロック用スライダ４０４ｃのスライド方向を案内するためのガイドである。
【０１１９】
本発明の巻尺用ベルトクリップの第５態様は、図７中の（ａ）に示すように、巻尺のケース５０１に固定されるベース体５０２と、ベース体５０２の支持部５０２ａに支持され、且つ、同ベース体５０２が取り付けられるケース５０１面に略並行にスライド移動する可動クリップ体５０３から構成している。
【０１２０】
また、図７中の符合５０１ａはケース本体、符合５０１ｂは、ケース本体５０１ａに固定的に設けているカバーで、同カバー５０１ｂは、巻尺の形態によってケース本体５０１ａ面と同一面上（面一）、乃至、ケース本体５０１ａ面より内方または外方に設けられる。
【０１２１】
また本図７に示す可動クリップ体５０３は、可動クリップ体５０３の本体たるアーム部５０３ａをベース体５０２の支持部５０２ａに支持して、このアーム部５０３ａが支持部５０２ａ内をスライド移動するようにしているものである。
【０１２２】
ベース部５０２は、例えば、金属加工品や樹脂成型品などから形成していて、ケース５０１上に同ケース５０１の組み立ての際に用いる固定用ねじたる雄ねじ５０４によって固定している。
【０１２３】
そして、可動クリップ体５０３は、同図７中の（ａ）のようにクリップ形態にしているときは公知の技術によって同クリップ形態を維持するようにしている。
また、クリップ形態を維持するための維持手段は、本ベルトクリップを設ける巻尺ケースの形態によりベルトクリップ形状などが変化するため、可動クリップ体５０３のクリップ形態を維持するための維持機構は、本実施例中での図示は省略している。
【０１２４】
可動クリップ体５０３のクリップ形態を維持するための維持機構としては、ベルトクリップ（ベース体５０２／可動クリップ体５０３）に自動や手動による公知の技術で構成したロック機構を設けて、可動クリップ体５０３をスライド移動して本体の大半をベース体５０２の支持部５０２ａよりも下方に移動、すなわち、ベース体５０２の支持部５０２ａより突出させてクリップ形態にしたときに前記ロック機構によってロックし、同クリップ形態を維持できるようにする。
【０１２５】
また、可動クリップ体５０３をスライド移動して本体の大半をベース体５０２の支持部５０２ａよりも下方に移動、すなわち、ベース体５０２の支持部５０２ａより突出させてクリップ形態に変化させるとき、可動クリップ体５０３のアーム部５０３ａがベース体５０２の支持部５０２ａ内の通路壁に徐々に食い込んでロックするように構成（例えば、締まり嵌め構造などを利用）して、すなわち、可動クリップ体５０３のアーム部５０３ａがベース体５０２の支持部５０２ａ内の通路壁に食い込むことによって同可動クリップ体３のスライド移動が抑制されてロックし、同クリップ形態を維持できるようにする。
【０１２６】
以下、上述のように構成した本発明に係る巻尺のベルトクリップにおける第５態様の作用について説明する。
【０１２７】
先ず、クリップ形態に固定されている可動クリップ体５０３の固定を解除する。すなわち、可動クリップ体５０３をロック機構によって固定しているものは同ロックを解除し、また、可動クリップ体５０３のアーム部５０３ａをベース体５０２の支持部５０２ａ内の通路壁に食い込ませて固定しているものは同アーム部５０３ａの先端５０３ｂをベース体５０２の支持部５０２ａ方向に所定の力で押して食い込みを解除する。
【０１２８】
次いで、アーム部５０３ａをベース体５０２の支持部５０２ａ方向、すなわち、ケース５０１の上方向（図７中の（ａ）矢印Ａ方向）にスライド移動して同アーム部５０３ａの大半をベース体５０２の支持部５０２ａよりも上方に移動すると共にこの一部をケース５０１よりも突出させる。これにより、図７中の（ｂ）に示した係着具形態に変化する。
【０１２９】
本発明の巻尺用ベルトクリップの第６態様は、図８中の（ａ）に示すように、巻尺のケース６０１に固定されるベース体６０２と、ベース体６０２の軸６０２ａ（図９を参照）に支持され、同ベース体６０２が取り付けられるケース６０１面に略並行に一方向乃至両方向に回転移動する可動クリップ体６０３から構成している。なお、図９中の符合６０３ｅは、可動クリップ体６０３における基部６０３ｃの抜け止めである。
【０１３０】
また、図８中の符合６０１ａはケース本体、符合６０１ｂは、ケース本体６０１ａに固定的に設けているカバーで、同カバー６０１ｂは、巻尺の形態によってケース本体６０１ａ面と同一面上（面一）、乃至、ケース本体６０１ａ面より内方または外方に設けられる。
【０１３１】
ベース体６０２は、例えば、金属加工品や樹脂成型品などから形成していて、ケース６０１上に同ケース６０１の組み立ての際に用いる固定用ねじたる雄ねじ６０４によって固定している。
【０１３２】
さらに、可動クリップ体６０３は、同図８中の（ａ）のようにクリップ形態にしているときは公知の技術によって同クリップ形態を維持するようにしていて、該維持手段の具体例としては、図９に示すように、ベース体６０２の凸部６０２ｂに弾性を有する素材で形成した可動クリップ体６０３の基部６０３ｃにおける凹部６０３ｄが嵌まることで、該可動クリップ体６０３をクリップ形態に維持できるようにしている。
【０１３３】
以下、上述のように構成した本発明に係る巻尺のベルトクリップにおける第６態様の作用について説明する。
【０１３４】
先ず、可動クリップ体６０３のアーム部６０３ａを、図８中の（ａ）の矢印Ａ方向に所定の力で回転移動させる。
そうすると、ベース体６０２の凸部６０２ｂに嵌る可動クリップ体６０３の凹部６０３ｄが（図９を参照）、この凸部６０２ｂから脱出する。なお、可動クリップ体６０３の基部６０３ｃは、凹部６０３ｄが凸部６０２ｂから脱出すると共に素材の性質（弾性）によって変形する。
【０１３５】
次いで、可動クリップ体６０３のアーム部６０３ａを、さらに図８中の（ａ）の矢印Ａ方向に回転させて先端６０３ｂをケースの上方に向ける。そうすると、図８中の（ｂ）に示した係着具形態に変化する。
【０１３６】
また、本実施例では、可動クリップ体６０３を係着具形態にしたとき、該可動クリップ体６０３を係着具形態に維持できるよう可動クリップ体６０３の凹部６０３ｄとベース体６０２の凸部６０２ｂの位置を考慮して配設しているので、可動クリップ体６０３が係着具形態に変化すると該可動クリップ体６０３の凹部６０３ｄがベース体６０２の凸部６０２ｂに嵌り、可動クリップ体６０３が係着具形態に維持される。なお、可動クリップ体６０３の変形状態にある基部６０３ｃは、凹部６０３ｄが凸部６０２ｂに嵌ると共に素材の性質（弾性復元力）によって変形が初期位置に復帰する。
【０１３７】
そして、係着具形態の可動クリップ体６０３をクリップ形態に戻す際は、図８中の（ａ）の矢印Ａ方向と反対方向に回転させたり、または、図８中の（ｂ）の矢印Ｂ方向に回転させることによってクリップ形態（図８中の（ａ）の状態）に戻る。
【０１３８】
本発明の巻尺用ベルトクリップの第７態様は、図１０中の（ａ）に示すように、巻尺のケース７０１に固定されるベース体７０２と、ベース体７０２に対して回動できるように設けた可動クリップ体７０３からなっていて、かつ可動クリップ体７０３には、同可動クリップ体７０３の基部と先端７０４の間をスライド移動できる移動体７０３ａを設けている。
【０１３９】
また、図１０中の符合７０１ａはケース本体、符合７０１ｂは、ケース本体７０１ａに固定的に設けているカバーで、同カバー７０１ｂは、巻尺の形態によってケース本体７０１ａ面と同一面上（面一）、乃至、ケース本体７０１ａ面より内方または外方に設けられる。
【０１４０】
本実施例に示すベルトクリップは、前記可動クリップ体７０３をベース体７０２の一部である係合体７０５に設けているものを示している。
【０１４１】
ベース体７０２は、例えば金属加工品や樹脂成型品等からなっていて、ケース７０１上に同ケース７０１を固定するための雄ねじ７０６によって固定している。
また図１０中の（ｂ）に示すように、ベース体７０２の係合体７０５には凹部７０５ａを設けている。
【０１４２】
可動クリップ体７０３は、例えば弾性を有する金属や樹脂等の線状体からなっていて、また図１０中の（ｂ）に示すように、前記移動体７０３ａには凸部７０３ｃを設けている。
【０１４３】
この可動クリップ体７０３は、図１０中の（ａ）に示した初期位置にあってクリップ形態にしているときは、可動クリップ体７０３の移動体７０３ａをアーム部７０３ｂ上のほぼ基部に位置させて、同移動体７０３ａの凸部７０３ｃをベース体７０２における係合体７０５の凹部７０５ａ内に挿入すなわち差し込んで係合している。
【０１４４】
また、係合体７０５の凹部７０５ａ内に差し込んだ移動体７０３ａの凸部７０３ｃがこの凹部７０５ａ内より簡単に抜けないようにしていて、例えば、凸部７０３ｃと凹部７０５ａとのはめあいを容易に手で押し込める程度のしまりばめにして、手による外力を加えて差し込むように構成している。
【０１４５】
そして、アーム部７０３ｂ上のほぼ基部に位置する移動体７０３ａを同アーム部７０３ｂ上の先端７０４寄りに移動することにより、係合体７０５の凹部７０５ａ内に差し込まれていた移動体７０３ａの凸部７０３ｃが同凹所７０５ａ内より出て、可動クリップ体７０３における移動体７０３ａの凸部７０３ｃとベース体７０２における係合体７０５の凹部７０５ａとの係合が解除されるようにしている。
【０１４６】
また可動クリップ体７０３は、回転軸７０７がベース体７０２の係合体７０５に設けた軸受７０８に支持されていて、この回転軸７０７を中心にアーム部７０３ｂをケース７０１面の垂直方向に回動することにより、可動クリップ体７０３を、図１０中の（ａ）のクリップ形態の状態からほぼ１８０度回動した図１０中の（ｂ）の係着具形態に変化できるようにしている。
【０１４７】
そして、可動クリップ体７０３は、クリップ形態にしている時、可動クリップ体７０３とケース７０１面との間に巻尺の携帯者たる作業者のベルト７０９（図１２を参照）を入れることのできる空間たるベルト挿通部７１０（図１２を参照）を形成できるようにしている（第１態様から第７態様の巻尺用ベルトクリップも同じである）。
【０１４８】
さらに、可動クリップ体７０３は、作業者のベルト７０９（図１２を参照）を同可動クリップ体７０３の先端７０４側よりベルト挿通部７１０（図１２を参照）に入れることができるよう素材の性質による弾性によって可動クリップ体７０３の先端７０４とケース７０１面との間が外力によって離間できて、また弾性復元力によって初期位置に復帰できるようにしている（第１態様から第７態様の巻尺用ベルトクリップも同じである）。
【０１４９】
以下、上述のように構成した本発明に係る巻尺のベルトクリップにおける第７態様の作用について説明する。
【０１５０】
先ず、図１０中の（ａ）に示すように、可動クリップ体７０３におけるアーム部７０３ｂ上のほぼ基部に位置する移動体７０３ａを、図中の矢印Ａ方向にスライドして同アーム部７０３ｂ上の先端７０４方向に移動する。
【０１５１】
そうすると、ベース体７０２における係合体７０５の凹部７０５ａ内に差し込まれている前記移動体７０３ａの凸部７０３ｃがこの凹所７０５ａ内より出て、凸部７０３ｃと凹所７０５ａとの係合が解除される。
すなわち、可動クリップ体７０３におけるアーム部７０３ｂとベース体７０２の係合体７０５との係合が解除される。
【０１５２】
次いで、ベース体７０２における係合体７０５との係合を解除した可動クリップ体７０３のアーム部７０３ｂを図中の矢印Ｂ方向に引き起こし、ほぼ１８０度回動させる。
【０１５３】
そうすると、図１０中の（ｂ）に示すように、ベルトクリップの可動クリップ体７０３を外部のフック部材への係着に適する係着具形態に変化できて、図１３に示すように、この変化した可動クリップ体７０３を作業者のベルト７０９に有するカラビナ（茄子環やＤフックなど）などの吊り下げ具たるフック部材７１１に係着すれば、巻尺を安全にかつ邪魔なく携帯することができる。
【０１５４】
また、可動クリップ体７０３を図１０中の（ａ）に示したクリップ形態にしている状態からほぼ１８０度回動して図１０中の（ｂ）に示した外部のフック部材に係着できる係着具形態に変化させた後、同可動クリップ体７０３におけるアーム部７０３ｂ上の先端７０４方向に移動している移動体７０３ａを基部寄りに移動させ、同移動体７０３ａの少なくとも一部とベース体７０２の係合体７０５とを係合させて可動クリップ体７０３をベース体７０２とロックできるようにして可動クリップ体７０３を係着具形態に維持できるようにする場合がある。
【０１５５】
具体的には、図１１に示すように、ベース体７０２における係合体７０５の凹部７０５ａを通孔７０５ｂに変更してクリップ形態または係着具形態に変化した可動クリップ体７０３のアーム部７０３ｂ上における移動体７０３ａの凸部７０３ｃを挿入できるようにし、アーム部７０３ｂ上の先端７０４方向に移動している移動体７０３ａを基部方向に移動して同移動体７０３ａの凸部７０３ｃを係合体７０５の通孔７０５ｂに差し込んでアーム部７０３ｂすなわち可動クリップ体７０３と係合体７０５すなわちベース体とをロックできるようにすることで、可動クリップ体７０３を係着具形態に維持できるようにする。
【０１５６】
また移動体７０３ａをアーム部７０３ｂ上の先端７０４方向に移動することで同移動体７０３ａの凸部７０３ｃが係合体７０５の通孔７０５ｂ内より出て、可動クリップ体７０３における移動体７０３ａの凸部７０３ｃとベース体７０２における係合体７０５の通孔７０５ｂとの係合を解除できる。
【０１５７】
また、前述のように、ベース体７０２における係合体７０５の凹部７０５ａを通孔７０５ｂに変更してクリップ形態または係着具形態に変化した可動クリップ体７０３のアーム部７０３ｂ上における移動体７０３ａの凸部７０３ｃを挿入できるようにする場合、実施例中の図には示していないが、通孔７０５ｂにするのではなく凹部７０５ａと略背中合わせに第２の凹部を設けて、この凹部に移動体７０３ａの凸部７０３ｃを挿入させる場合がある。
【０１５８】
また、本実施例では移動体７０３ａに凸部、係合体７０５に凹部もしくは通孔を設けているものを示しているが、移動体７０３ａに凹部もしくは通孔、係合体７０５に凸部を設けて構成する場合がある。
【０１５９】
また、前述のように、しまりばめにより凸部と凹部もしくは通孔とを係合させた際に簡単に係合が解除しない（抜けない）ようにしているが、前記凸部、凹部、通孔における所定の部位にスリットや切断部を形成して、凸部と凹部もしくは通孔とを係合させた際に、しまりばめに加え素材の性質による弾性復元力により圧接状態に係合させてよりしっかりとした係合ができるようにする場合がある。
【０１６０】
また、可動クリップ体７０３は、本実施例に示すような平面形状が略Ｕ字状のものの他にも、平面視において略Ｖ字状のものや、図１９に示した従来のベルトクリップにおけるプレート体１０と同じように、薄いプレート状にする場合がある（第１態様から第７態様の巻尺用ベルトクリップに適用している場合もある）。
【０１６１】
また、ベース体７０２は基本的には不可動であるが、作業者のベルト７０９（図１２を参照）を可動クリップ体７０３の先端７０４側よりベルト挿通部７１０（図１２を参照）に入れる場合など、ベース体７０２における例えば可動クリップ体７０３の回転軸７０７を支持する軸受７０８を設けた少なくとも係合体７０５を可動クリップ体７０３と協動させる場合がある（第１態様から第７態様の巻尺用ベルトクリップに適用している場合もある）。
【０１６２】
また、実施例中の図には示していないが、可動クリップ体７０３を初期位置のクリップ形態乃至外部のフック部材に係着する係着具形態に変化させたときに同可動クリップ体７０３のアーム部７０３ｂが適正位置に位置決できるようにする場合があり、例えば、適正位置に変化したアーム部７０３ｂの一部分を、素材の性質による弾性などによってベース体における例えば係合体７０５に形成した凹所などの位置決め部に自動で嵌るようにし、かつ一定以上の力でこの位置決め部より脱出できるようにする場合がある。
【０１６３】
本発明の巻尺用ベルトクリップの第８態様は、図１４中の（ａ）に示すように、巻尺のケース８０１に取り付けられるベルトクリップのベース部８０２に、帯体よりなるベルトに係着するためのベルト用クリップ体８０３と、茄子環やＤフックなどの吊り下げ具を備えるベルトの該茄子環やＤフックに掛着するためのフック用クリップ体８０４の両クリップ体を設けている。
【０１６４】
また、図１４中の符合８０１ａはケース本体、符合８０１ｂは、ケース本体８０１ａに固定的に設けているカバーで、同カバー８０１ｂは、巻尺の形態によってケース本体８０１ａ面と同一面上（面一）、乃至、ケース本体８０１ａ面より内方または外方に設けられる。
【０１６５】
またベース部８０２は、例えば金属加工品や樹脂成型品などからなっていて、ケース８０１上に同ケース８０１の組み立ての際に用いる固定用ねじたる雄ねじ８０５によって固定している。
【０１６６】
前記ベルト用クリップ体８０３は、例えば、弾性を有する金属や樹脂などのプレートからなっていて、且つ、同ベルト用クリップ体８０３とケース８０１面との間に、巻尺の携帯者たる作業者のベルト８０７（図１６を参照）を入れることができる空間たるベルト挿通部８０６（図１４中の（ｂ）を参照）を形成できるようにしている。
【０１６７】
さらに、ベルト用クリップ体８０３は、作業者のベルト８０７（図１６を参照）を同ベルト用クリップ体８０３の先端８０３ａ側よりベルト挿通部８０６に入れることができるよう素材の性質による弾性によってベルト用クリップ体８０３の先端８０３ａとケース８０１面との間が外力によって離間できて、また弾性復元力によって初期位置に復帰できるようにしている。
【０１６８】
前記フック用クリップ体８０４は、例えば、金属や樹脂などの線状体からなっていて、且つ、同フック用クリップ体８０４の回転軸８０４ａがベース部８０２に形成している軸受８０２ａに支持されていて、この回転軸８０４ａを中心にフック用クリップ体８０４の本体たるアーム部８０４ｂをベルト用クリップ体８０３の垂直方向に回動できるようにしている。
【０１６９】
またアーム部８０４ｂは、素材の性質や形体による弾性によって離間方向への力が生じるように形成しており、したがって、図１４中の（ａ）のベルト用クリップ体８０３の上方に畳まれた状態になっている時にはベース部８０２の軸受８０２ａに形成している凹所８０２ｂ（図１５を参照）内に嵌り、また、図１４中の（ｂ）の使用可能状態になっている時にはベース部８０２の軸受８０２ａに形成している凹所８０２ｃ（図１５を参照）内に嵌るようになっている。
【０１７０】
以下、上述のように構成した本発明に係る巻尺のベルトクリップにおける第８態様の作用について説明する。
【０１７１】
巻尺の本体たるケース８０１を、作業者が装着している帯体よりなるベルト８０７に係着する場合は、ベルト用クリップ体８０３の先端８０３ａ側からベルト８０７をベルト挿通部８０６（図１４中の（ａ）を参照）に入れ込むことで、従来のベルトクリップと同じ操作によってケース８０１をベルト８０７に保持させることができる（図１６を参照）。
【０１７２】
また、フック用クリップ体８０４がベルト用クリップ体８０３の上に畳まれた初期位置の状態で、巻尺の本体たるケース８０１を、茄子環やＤフックなどの吊り下げ具を備えるベルトの該茄子環やＤフックに掛着する場合は、ベース部８０２の軸受８０２ａの凹所８０２ｂ（図１５を参照）内に嵌っているフック用クリップ体８０４のアーム部８０４ｂを、この凹所８０２ｂ内への弾性復元力に抗して図１４中の（ａ）の矢印Ａ方向に引き起こしてほぼ１８０度回動させる。
【０１７３】
そうすると、図１４中の（ｂ）のように、フック用クリップ体８０４を外部のフック部材に係着可能な形態にできる。
また、アーム部８０４ｂが同アーム部８０４ｂの弾性復元力によってベース部８０２の軸受８０２ａに形成している凹所８０２ｃ（図１５を参照）内に嵌ってこの動きが制限される。
【０１７４】
また、フック用クリップ体８０４は、実施例に示している平面視において略Ｕ字状のものの他にも、平面視において略Ｖ字状のものや、図１９に示した従来のベルトクリップにおけるプレート体１０と同じように、薄いプレート状にする場合がある。
【０１７５】
本発明の巻尺用カバーは、図１７中の（ａ）に示すように、巻尺用カバーの本体１に上記第１態様から第７態様の巻尺用ベルトクリップにおけるいずれか１つを設けたもので、該カバーの本体１に設けているものは、第７態様の巻尺用ベルトクリップである。
該ベルトクリップの構造また作用は、前述した第７態様の巻尺用ベルトクリップと同じである。
【０１７６】
また、カバーの本体１に巻尺用ベルトクリップを設ける場合は、形成後の本体１に巻尺用ベルトクリップを適当な取り付け手段、例えば、接着やネジ止めなどによって取り付けたり（固定）、あるいは、本体１の成形過程に巻尺用ベルトクリップの少なくともベース体７０２の部位を一体的に設けるようにしてもよく、所望の方法によって設ければよい。
【０１７７】
さらに、カバーの本体１に巻尺用ベルトクリップを一体的に設ける場合は、少なくともベルトクリップのベース体７０２を、同本体１と、例えば同じ素材によって同時成形してもよい。
【０１７８】
図１７中の（ａ）の符合１ａは、巻尺の本体たるケース２（図１７中の（ｂ）を参照）をカバーの本体１内に入れるための開口、符合１ｂは、テープ２ａが出入りするための開口である。
【０１７９】
図１７中の（ｂ）は、本巻尺用カバーの本体１を巻尺のケース２に装着した状態を示していて、図中の符合２ｂは、テープ２ａの先端に設けている係止片、符合２ｃは、テープ２ａを引き出した位置で停止させるためのブレーキレバーである。
【０１８０】
また、本巻尺用カバーは、図１８中の（ａ）に示すように、ベルトクリップのベース体７０２および該カバーの本体１の片側を貫通して本体１内に達する通孔３を設けて、該カバーを装着する巻尺に取り付けられていたベルトクリップの固定用ねじを利用し、該カバーの本体１を巻尺のケースに固定できるようにする場合がある。
【０１８１】
図１８中の（ｂ）は、本巻尺用カバーたる本体１を巻尺のケース２に装着した状態を示していて、図中の符合４は、該カバーたる本体１を巻尺のケース２に固定する固定用ねじである。
【０１８２】
また、図１７および図１８中の符合７０２はベース体、符合７０３は可動クリップ体、符合７０３ａは移動体、符合７０３ｂはアーム部、符合７０４は先端、符合７０５は係合体、符合７０７は回転軸、符合７０８は軸受である。
【符号の説明】
【０１８３】
第１態様
１０１…ケース
１０２…ベース体
１０３…可動クリップ体
１０３ａ…アーム部
１０４…雄ねじ
１０５…凹所
１０６…軸受
１０７…回転軸
１０８…先端
【０１８４】
第２態様
２０１…ケース
２０２…ベース体
２０３…可動クリップ体
２０３ａ…アーム部
２０３ｂ…スライダ
２０４…雄ねじ
２０５…凹所
２０６…軸受
２０７…回転軸
２０８…先端
【０１８５】
第３態様
３０１…ケース
３０２…ベース体
３０３…可動クリップ体
３０３ａ…接触面部
３０３ｂ…接触面部
３０３ｃ…回転軸
３０４…雄ねじ
３０５…軸受
３０６…板ばね
３０６ａ…接触面部
３０７…先端
【０１８６】
第４態様
４０１…ケース
４０２…ベース体
４０２ａ…受け部
４０３…可動クリップ体
４０３ａ…アーム部
４０４…ロック用アーム
４０４ａ…回転軸
４０４ｂ…雄ねじ
４０４ｃ…ロック用スライダ
４０４ｄ…ノブ
４０４ｅ…ガイド
４０５…雄ねじ
４０６…軸受
４０７…回転軸
【０１８７】
第５態様
５０１…ケース
５０１ａ…ケース本体
５０１ｂ…カバー
５０２…ベース体
５０２ａ…支持部
５０３…可動クリップ体
５０３ａ…アーム部
５０３ｂ…先端
５０４…雄ねじ
【０１８８】
第６態様
６０１…ケース
６０１ａ…ケース本体
６０１ｂ…カバー
６０２…ベース体
６０２ａ…軸
６０２ｂ…凸部
６０３…可動クリップ体
６０３ａ…アーム部
６０３ｂ…先端
６０３ｃ…基部
６０３ｄ…凹部
６０３ｅ…抜け止め
６０４…雄ねじ
【０１８９】
第７態様
７０１…ケース
７０１ａ…ケース本体
７０１ｂ…カバー
７０２…ベース体
７０３…可動クリップ体
７０３ａ…移動体
７０３ｂ…アーム部
７０３ｃ…凸部
７０４…先端
７０５…係合体
７０５ａ…凹部
７０５ｂ…通孔
７０６…雄ねじ
７０７…回転軸
７０８…軸受
７０９…ベルト
７１０…ベルト挿通部
７１１…フック部材
【０１９０】
第８態様
８０１…ケース
８０１ａ…ケース本体
８０１ｂ…カバー
８０２…ベース部
８０２ａ…軸受
８０２ｂ…凹所
８０２ｃ…凹所
８０３…ベルト用クリップ体
８０３ａ…先端
８０４…フック用クリップ体
８０４ａ…回転軸
８０４ｂ…アーム部
８０５…雄ねじ
８０６…ベルト挿通部
８０７…ベルト
【０１９１】
巻尺用カバー
１…本体
１ａ…開口
１ｂ…開口
２…ケース
２ａ…テープ
２ｂ…係止片
２ｃ…ブレーキレバー
３…通孔
４…固定用ねじ
７０２…ベース体
７０３…可動クリップ体
７０３ａ…移動体
７０３ｂ…アーム部
７０４…先端
７０５…係合体
７０７…回転軸
７０８…軸受
【図１】
2013167533.tif 000003
【図２】
2013167533.tif 000004
【図３】
2013167533.tif 000005
【図４】
2013167533.tif 000006
【図５】
2013167533.tif 000007
【図６】
2013167533.tif 000008
【図７】
2013167533.tif 000009
【図８】
2013167533.tif 000010
【図９】
2013167533.tif 000011
【図１０】
2013167533.tif 000012
【図１１】
2013167533.tif 000013
【図１２】
2013167533.tif 000014
【図１３】
2013167533.tif 000015
【図１４】
2013167533.tif 000016
【図１５】
2013167533.tif 000017
【図１６】
2013167533.tif 000018
【図１７】
2013167533.tif 000019
【図１８】
2013167533.tif 000020
【図１９】
2013167533.tif 000021